(57)【特許請求の範囲】
【請求項１】
対向配置した一対の基板間に液晶が挟持された液晶表示装置であって、前記一対の基板のうちの一方の基板上に、複数本のソース線と複数本のゲート線とがマトリクス状に設けられるとともにこれらソース線とゲート線とで区画された各画素に画素電極および該画素電極に接続された薄膜トランジスタが設けられ、各画素の薄膜トランジスタが当該画素を挟んで配置される２本のソース線のうちの一方のソース線に接続されるとともに、前記画素とソース線の延在方向に隣接する画素の薄膜トランジスタが他方のソース線に接続され、ゲート線の延在方向に隣接する画素の薄膜トランジスタは各画素から見て同じ側のソース線にそれぞれ接続され、第１のソースドライバが複数本の前記一方のソース線に接続されてこれら一方のソース線全てに対して同極性の画像信号を供給し、第２のソースドライバが複数本の前記他方のソース線に接続されてこれら他方のソース線全てに対して前記第１のソースドライバとは逆極性の画像信号を供給する構成とされ、
ドットの反転駆動に際し、電源電圧Ｖcc及び０Ｖと、これらを２分割した電圧Ｖcomとを用い、前記第１のソースドライバ及び第２のソースドライバにおいて、一方のソースドライバにＶccとＶcomとを、他方のソースドライバにＶcomと０Ｖとを、スイッチにより極性を反転させるよう接続することを特徴とする液晶表示装置。
【請求項２】
前記薄膜トランジスタをなすゲート電極が前記ゲート線自体で構成され、前記薄膜トランジスタをなし前記画素電極に電気的に接続されたドレイン電極が前記ゲート電極を横断していることを特徴とする請求項１に記載の液晶表示装置。
【請求項３】
前記第１のソースドライバに対して極性が正、負いずれかの画像信号を供給するとともに、前記第２のソースドライバに対して前記第１のソースドライバとは逆極性の画像信号を供給するよう構成され、前記第１のソースドライバ、前記第２のソースドライバそれぞれに供給する画像信号の極性を各フレーム毎に切り換える切換手段が設けられたことを特徴とする請求項１に記載の液晶表示装置。
【発明の詳細な説明】
【０００１】
【発明の属する技術分野】
本発明は、液晶表示装置に関し、特にドット反転駆動を適用するのに好適な液晶表示装置の構成に関するものである。
【０００２】
【従来の技術】
図１２は、従来一般のアクティブマトリクス型液晶表示装置の等価回路図を示している。液晶表示装置は、対向配置した一対の基板間に液晶が挟持されたものであるが、一対の基板のうちの一方の基板をなすアクティブマトリクス基板上に複数本のソース線１０１と複数本のゲート線１０２とがマトリクス状に設けられている。そして、これらソース線１０１とゲート線１０２とで区画された各画素１０６毎に画素電極、画素電極に接続された薄膜トランジスタ１０３（Thin Film Transistor, 以下、ＴＦＴと略記する）がそれぞれ設けられている。また、他方の基板をなす対向基板上には共通電極が設けられており、ＴＦＴ１０３のドレインに接続された画素電極と、液晶層を介して画素電極と対峙する共通電極とが画素容量１２０を構成し、この画素容量１２０がＴＦＴ１０３と直列に接続されている。
【０００３】
さらに、各画素１０６にＴＦＴ１０３を介して画像信号を供給するためのソースドライバ１０４が設けられ、各ソース線１０１の一端がソースドライバ１０４に接続されている。ソースドライバ１０４には電源電圧Ｖccが供給されるようになっている。また、各ゲート線１０２毎にＴＦＴを駆動する走査信号を供給するためのゲートドライバ１０５が設けられ、各ゲート線１０２の一端がゲートドライバ１０５に接続されている。通常、共通電極には定電位ＣＯＭが供給されるようになっている。
【０００４】
液晶の劣化を防ぐため、この種の液晶表示装置には液晶に印加する画像信号をフレーム毎に正負反転させる、いわゆるフレーム反転駆動が用いられる。ところが、フレーム反転駆動を採用したとしても、隣接する画素間のクロストーク等に起因してフリッカ（画像のちらつき）が発生するため、フリッカの防止のために画像信号の極性を１ソース線毎に反転させたり、１ゲート線毎に反転させる駆動方式が採られることがある。特に図１３に示すように、隣接する全ての画素で画像信号の極性を反転させる、いわゆるドット反転駆動はフリッカ防止に最も有効な駆動方式である。
【０００５】
【発明が解決しようとする課題】
しかしながら、上記のドット反転駆動方式を用いた液晶表示装置には、根本的に次のような問題点がある。
図１４は、１本のソース線に対してソースドライバから出力される画像信号の波形を示す図であって、特にこの波形はラスター表示と呼ばれる、画面全体を黒表示とする場合の例である。この図に示すように、黒表示を実現するために実際に液晶に印加すべき電圧値をＶLCとすると、ドット反転を行うためにはＶcom（接地電位ＧＮＤと電源電圧Ｖccとの間の１／２の電位）を中心として１画素毎に正側にＶLC、あるいは負側にＶLCだけ振った波形とする必要がある。したがって、オフセット電圧をＶosとすると、少なくとも電源電圧Ｖccとしては、Ｖcc＝（ＶLC＋Ｖos）×２の電圧が必要になる。すなわち、電源電圧は、実際に液晶に印加すべき電圧値の２倍以上でなければならない。
【０００６】
近年、液晶表示装置は携帯用電子機器等の用途が拡大しており、その観点から低消費電力化、小型化への要求が高まっている。ところがそれに反して、ドット反転駆動方式の液晶表示装置の場合、１フレーム内でソースドライバの電源電圧として液晶印加電圧の２倍以上が必要であるため、ドット反転駆動を用いない場合に比べて消費電力が増大する、という問題があった。また、ソースドライバの耐圧としても液晶印加電圧の２倍以上が必要となるため、ソースドライバを構成するトランジスタのサイズ、ひいてはチップサイズをある程度大きくしなければならず、液晶表示装置の小型化が困難になる、という問題があった。
【０００７】
本発明は、上記の課題を解決するためになされたものであって、ドット反転駆動方式の液晶表示装置において、低消費電力化、小型化を実現し得る構成を持つ液晶表示装置を提供することを目的とする。
【０００８】
【課題を解決するための手段】
上記の目的を達成するために、本発明の液晶表示装置は、対向配置した一対の基板間に液晶が挟持された液晶表示装置であって、前記一対の基板のうちの一方の基板上に、複数本のソース線と複数本のゲート線とがマトリクス状に設けられるとともにこれらソース線とゲート線とで区画された各画素に画素電極および該画素電極に接続された薄膜トランジスタが設けられ、各画素の薄膜トランジスタが当該画素を挟んで配置される２本のソース線のうちの一方のソース線に接続されるとともに、前記画素とソース線の延在方向に隣接する画素の薄膜トランジスタが他方のソース線に接続され、ゲート線の延在方向に隣接する画素の薄膜トランジスタは各画素から見て同じ側のソース線にそれぞれ接続され、第１のソースドライバが複数本の前記一方のソース線に接続されてこれら一方のソース線全てに対して同極性の画像信号を供給し、第２のソースドライバが複数本の前記他方のソース線に接続されてこれら他方のソース線全てに対して前記第１のソースドライバとは逆極性の画像信号を供給する構成とされ、電源電圧Ｖcc及び０Ｖと、これらを２分割した電圧Ｖcomとを用い、前記第１のソースドライバ及び第２のソースドライバにおいて、一方のソースドライバにＶccとＶcomとを、他方のソースドライバにＶcomと０Ｖとを、スイッチによりフレーム毎に極性を反転させるよう接続することを特徴とする。
【０００９】
本発明の液晶表示装置においては、任意の１画素に着目したとき、その画素のＴＦＴが当該画素を挟む２本のソース線のうちの一方のソース線（例えば右側のソース線）に接続されるとともに、その画素とソース線の延在方向（例えば縦方向）に隣接する画素のＴＦＴが他方のソース線（例えば左側のソース線）に接続されている。また、ゲート線の延在方向（例えば横方向）に隣接する画素を見ると、それらの画素のＴＦＴは同じ側のソース線（右側なら右側、左側なら左側）に接続されている。そして、前記一方のソース線側には第１のソースドライバが接続され、これら全ソース線に対して同極性の画像信号を供給し、前記他方のソース線側には第２のソースドライバが接続され、これら全ソース線に対して第１のソースドライバとは逆極性の画像信号を供給する。
【００１０】
以上の構成により、ソース線延在方向、ゲート線延在方向の双方で隣接する全ての画素に対して、互いに逆極性の画像信号が供給されるドット反転駆動を実現することができる。この際、上記構成の液晶表示装置によれば、１本おきのソース線を各々担当する２個のソースドライバが設けられ、これら各ソースドライバが片方の極性の画像信号を出力するのみでドット反転駆動が実現できる。したがって、図１４に画像信号の波形を示した従来の装置に比べて、ソースドライバの電源電圧が１／２で済み、消費電力を１／４に低減することができる。さらに、ソースドライバの耐圧も１／２で済み、チップサイズの縮小化、ひいてはチップコストの低減を図ることができる。
【００１１】
また、前記ＴＦＴの形態として、ＴＦＴをなすゲート電極が前記ゲート線自体で構成され、前記ＴＦＴをなし前記画素電極に電気的に接続されたドレイン電極が前記ゲート電極を横断していることが好ましい。
【００１２】
上記形態のＴＦＴを採用したときの作用、効果は後で詳述するが、この形態とした場合、製造工程においてＴＦＴのゲート層とソース・ドレイン層との間でパターンの合わせズレがあったとしても、フリッカや輝度むらなどの画質の劣化を抑えることができる。
【００１３】
また、前記第１のソースドライバに対して極性が正、負いずれかの画像信号を供給するとともに、前記第２のソースドライバに対して前記第１のソースドライバとは逆極性の画像信号を供給するよう構成され、前記第１のソースドライバ、前記第２のソースドライバそれぞれに供給する画像信号の極性を各フレーム毎に切り換える切換手段を設けることが望ましい。
【００１４】
この切換手段を設けることにより、１フレーム内でドット反転駆動を行いながらフレーム毎に極性を反転させるフレーム反転を容易に行うことができ、フリッカの防止をより確実にすることができる。
【００１５】
【発明の実施の形態】
［第１の実施の形態］
以下、本発明の第１の実施の形態を図１〜図９を参照して説明する。
図１は本実施の形態のアクティブマトリクス型液晶表示装置の等価回路を示す図であり、図中符号１はソース線、２はゲート線、３はＴＦＴ、４ａはソースドライバＡ（第１のソースドライバ）、４ｂはソースドライバＢ（第２のソースドライバ）、５はゲートドライバ、である。
【００１６】
本実施の形態の液晶表示装置は、対向配置した一対の基板間に液晶が挟持されており、図１に示すように、一対の基板のうちの一方の基板をなすアクティブマトリクス基板上に複数本のソース線１と複数本のゲート線２とがマトリクス状に設けられている。そして、これらソース線１とゲート線２とで区画された各画素６毎に画素電極（図示略）、画素電極に接続されたＴＦＴ３がそれぞれ設けられている。また、他方の基板をなす対向基板上には共通電極（図示略）が設けられており、ＴＦＴ３のドレインに接続された画素電極と、液晶層を介して画素電極と対峙する共通電極とが画素容量（図示略）を構成し、この画素容量がＴＦＴ３と直列に接続されている。共通電極には定電位ＣＯＭが供給されるようになっている。
【００１７】
図１中の縦列の画素６、例えば最も左側の縦列の画素６（４個のみを図示し、後は図示を省略してある）に着目すると、最上段の画素６のＴＦＴ３は当該画素の両側の２本のソース線１のうち、左側のソース線１に接続され、上から２段目の画素のＴＦＴ３は右側のソース線１に接続され、上から３段目の画素のＴＦＴ３は左側のソース線１に接続されるというように、ソース線１の延在方向（図中縦方向）に隣接する画素のＴＦＴ３が交互に逆側のソース線１に接続されている。一方、横行の画素６（６個のみを図示し、後は図示を省略してある）に着目すると、最上行の画素６のＴＦＴ３は全て左側のソース線１に接続され、上から２行目の画素６のＴＦＴ３は全て右側のソース線１に接続されるというように、ゲート線２の延在方向（図中横方向）に連なる画素６のＴＦＴ３は同じ側のソース線１に接続されている。
【００１８】
図１中の上下には２個のソースドライバ、ソースドライバＡ４ａ、ソースドライバＢ４ｂが設けられ、ＴＦＴ３の左側で接続された１本おきのソース線１（一方のソース線）の一端がソースドライバＡ４ａに接続され、ＴＦＴ３の右側で接続された残りの１本おきのソース線１（他方のソース線）の一端がソースドライバＢ４ｂに接続されている。図１では、任意の１フレームにおける各画素６に供給された画像信号の極性を「＋」、「−」で示しており、次のフレームではこれら「＋」、「−」が全て反転する。図１で示したフレームにおいて、「＋」の画素６のＴＦＴ３はソース線１を介して全てソースドライバＡ４ａに接続されており、「−」の画素のＴＦＴ３はソース線１を介して全てソースドライバＢ４ｂに接続されている。つまり、このフレームではソースドライバＡ４ａは「＋」の極性の画像信号のみを出力しており、ソースドライバＢ４ｂは「−」の極性の画像信号のみを出力している。
【００１９】
ここで、本実施の形態の液晶表示装置におけるソースドライバの出力波形について、（１）ラスター表示の場合、（２）横縞模様の場合、を例に挙げて説明する。
（１）ラスター表示の場合
図３は、１本のソース線１に対して各ソースドライバ４ａ，４ｂからそれぞれ出力される画像信号の波形を示す図であって、特にこの波形は画面全体を黒表示とするラスター表示を行う場合の例である。図において横軸が時間軸、左半分が１フレーム、右半分が１フレームを表しており、左半分のフレームの波形が図１に示した「＋」、「−」の極性の配置に対応している。図３（Ａ）は各ソースドライバ４ａ，４ｂの出力（ソースドライバＡ４ａを実線、ソースドライバＢ４ｂを１点鎖線で示す）、図３（Ｂ）、（ｃ）は各ソースドライバ４ａ，４ｂ毎の電源ライン、グランドラインの電位、図３（Ｄ）は後述するスイッチへの入力、をそれぞれ示している。
【００２０】
本実施の形態の液晶表示装置の場合、上記のような接続構成を採っていることから、図３（Ａ）に示すように、最初（左半分）のフレームでは、Ｖcomを中心としてソースドライバＡ４ａがＶccに近い一定電圧（「＋」の極性に対応）、ソースドライバＢ４ｂが０Ｖ（ＧＮＤ）に近い一定電圧（「−」の極性に対応）を出力する。そして、次（右半分）のフレームでは各出力の極性が反転する。
【００２１】
このような出力を実現するためには、ソースドライバＡ、Ｂを図２に示すような回路構成とすればよい。すなわち、ソースドライバＡ４ａ、ソースドライバＢ４ｂ各々の電源ライン７ａ，７ｂが電源電位Ｖcc、電源電圧Ｖccを２分割した中点Ｍ（図２におけるＶ１とＶ２の接続点）の電位Ｖcomのいずれかを選択し、グランドライン８ａ，８ｂが上記の電位Ｖcom、接地電位ＧＮＤのいずれかを選択し得るようなスイッチ９（切換手段）を設け、このスイッチ９を介して電源とソースドライバＡ４ａ、ソースドライバＢ４ｂとを接続すればよい。図２において実線で示したスイッチ９の位置は図３（Ｂ）、図３（Ｃ）の左半分、１点鎖線で示したスイッチ９の位置は図３（Ｂ）、図３（Ｃ）の右半分のフレームに対応している。スイッチ９への入力は、図３（Ｄ）に示すように、図２において実線で示したスイッチ９の位置を「HIGH」、１点鎖線で示したスイッチ９の位置を「LOW」とする。
【００２２】
図３（Ｂ）、図３（Ｃ）から明らかなように、本実施の形態の液晶表示装置の場合、各ソースドライバ４ａ，４ｂはＶccとＶcomの間、あるいはＶcomとＧＮＤの間の幅を持つ電圧、すなわち電源電位Ｖccの１／２の電圧を出力するだけでドット反転駆動を行うことができる。したがって、本実施の形態によれば、図１４に示したようにＧＮＤ側とＶcc側で電圧波形を大きく振る必要があった従来の装置に比べて、ソースドライバが各ソース線に供給する電源電圧が１／２で済み、消費電力を１／４に低減することができる。さらに、ソースドライバの耐圧も１／２で済み、チップサイズの縮小化、ひいてはチップコストの低減を図ることができる。
【００２３】
また、スイッチ９を設けたことにより、１フレーム内でドット反転駆動を行いながらフレーム毎に極性を反転させるフレーム反転を容易に行うことができ、フリッカをより確実に防止することができる。
【００２４】
（２）横縞模様の場合
図４は、１本のソース線１に対して各ソースドライバ４ａ，４ｂからそれぞれ出力される画像信号の波形を示す図であり、特にこの波形は横１行が全て黒、横１行が全て白の画像を縦方向に交互に表示する、いわゆる横縞模様の表示を行う場合の例である。図において横軸が時間軸、左半分が１フレーム、右半分が１フレームを表しており、左半分のフレームの波形が図１に示した「＋」、「−」の極性に対応している。
【００２５】
横縞模様の場合はラスター表示とは異なり、全ての画素に対して同じ電圧というわけにはいかず、１本のソース線１（縦方向）に連なる画素６に対して１画素毎に白、黒、白、黒、…と表示するため、最初のフレーム（図４の左半分のフレーム）においてソースドライバＡ４ａでは１画素毎にＶcc〜Ｖcom間でＶccに近い電圧とＶcomに近い電圧を交互に出力し、ソースドライバＢ４ｂではＶcom〜ＧＮＤ間でＶcomに近い電圧とＧＮＤに近い電圧を交互に出力する。ただし、個々のソースドライバ４ａ，４ｂの波形を見ると、ラスター表示の場合と同様、「＋」、「−」の片側の極性しか出力しなくて済む。そして、次のフレーム（図４の右半分のフレーム）ではソースドライバＡ４ａとソースドライバＢ４ｂで極性が反転する。したがってこの場合も、ソースドライバの電源電圧が従来の装置の１／２で済み、消費電力を１／４に低減することができる。さらに、ソースドライバの耐圧も１／２で済み、チップサイズの縮小化を図ることができる。
【００２６】
ここで、従来例として、図６に示すような液晶表示装置を考える。
図６の従来の液晶表示装置も本実施の形態と同様、上下に２個のソースドライバ、ソースドライバＬ１０４ａ、ソースドライバＭ１０４ｂを備えているが、本実施の形態のように画素を挟む２本のソース線に対してＴＦＴを交互に接続しているわけではなく、ソース線１０１とＴＦＴ１０３との接続関係は従来一般のものであり、ただ単に各ソース線１０１に信号を供給するソースドライバを２個に増やしただけである。したがって、この例の場合には図１と異なり、ソースドライバＬ１０４ａ、ソースドライバＭ１０４ｂともに「＋」、「−」双方の極性の画像信号を出力している。
【００２７】
図６の液晶表示装置において、ドット反転駆動で横縞模様の表示を行おうとすると、ソースドライバＬ１０４ａ側で「＋」で黒、「−」で白、ソースドライバＭ１０４ｂ側で「＋」で白、「−」で黒となるような画像信号を出力する必要があるため、この場合も信号波形は図５のようになる。したがって、図６のようにただ単に２個のソースドライバを備えた液晶表示装置と比べると、従来の装置と比べた場合のように１／２とはいかないまでも、ソースドライバの電源電圧や耐圧を低減することができる。
【００２８】
次に、本実施の形態の液晶表示装置を構成するアクティブマトリクス基板におけるＴＦＴの具体的な構成について説明する。
上述したように、１本のソース線に対して必ず同じ側にＴＦＴが配置された従来一般の液晶表示装置に対して、本実施の形態では１本のソース線１の左右に交互にＴＦＴ３が配置されている。そのため、ＴＦＴ３の形態として以下の構成を採用することが望ましい。
【００２９】
図７および図８は、図１においてソース線１の右側に配置されたＴＦＴ３と、ソース線１の左側に配置されたＴＦＴ３を示す平面図である。そして、図７はゲート線２の幅よりもアイランド１１ａの幅の方が大きい、いわゆるラージアイランド構造を採用した場合、図８はアイランド１１ｂの幅よりもゲート線２の幅の方が大きい、いわゆるラージゲート構造を採用した場合をそれぞれ示している。
【００３０】
本実施の形態のＴＦＴ３の平面構造の特徴点は、図７および図８に共通であって、ＴＦＴ３をなすゲート電極をゲート線２自体で構成し、画素電極１２に電気的に接続されたドレイン電極１３がゲート線２を横断している点にある。
【００３１】
これに対して、上記と同じ箇所に従来一般のＴＦＴの構造を採用したものを図９（Ａ）、（Ｂ）に示す。すなわち、ゲート電極５０がゲート線１０２から突出し、このゲート電極５０の中央に向けて両側からソース電極５１、ドレイン電極５２がそれぞれ延びている構造である。
この構造を採った場合、図９（Ａ）に示すように、製造プロセス中のフォトリソグラフィー工程でゲート層とソース・ドレイン層との間に合わせズレがない場合には、図中斜線で示したゲート−ドレイン間の寄生容量ＣgdL3、ＣgdR3は左右どちらのＴＦＴも等しいが、図９（Ｂ）に示すように、ソース・ドレイン層がゲート層に対して左にずれた場合には、正常な場合と比べて左のＴＦＴのＣgdL4は大きくなり、右のＴＦＴのＣgdR4は小さくなる。これにより、右の画素と左の画素のフィードスルー電圧ΔＶp が異なるようになり、液晶画面にフリッカや輝度むらが発生する。
【００３２】
一方、図７および図８に示した本実施の形態の構造を採った場合、画素電極１２に接続するドレイン電極１３がゲート電極（ゲート線２）を横断しているため、仮に合わせズレが生じたとしても、左右のＴＦＴ３のゲート−ドレイン間寄生容量ＣgdL1とＣgdR1、ＣgdL2とＣgdR2はそれぞれ等しく、フィードスルー電圧ΔＶp も等しくなるので、フリッカや輝度むらの発生を抑えることができる。図７、図８ではソース・ドレイン層がゲート層に対して左にずれた場合を示しているが、右にずれたり、角度がずれたりした（回転した）場合等においても、左右のＴＦＴのＣgdLとＣgdRは等しくなり、同様の効果を得ることができる。
【００３３】
[第２の実施の形態]
以下、本発明の第２の実施の形態を図１０を参照して説明する。
図１０は本実施の形態のアクティブマトリクス型液晶表示装置の等価回路を示す図である。本実施の形態の基本構成は第１の実施の形態と同様であり、異なる点はソースドライバの配置のみである。したがって、図１０において図１と共通の構成要素には同一の符号を付し、詳細な説明は省略する。
【００３４】
本実施の形態の液晶表示装置も第１の実施の形態と同様、図１０に示すように、図１０中の縦列の画素６において、ソース線１の延在方向（図中縦方向）に隣接する画素６のＴＦＴ３が交互に逆側のソース線１に接続されている。一方、横行の画素６においては、ゲート線２の延在方向（図中横方向）に連なる画素６のＴＦＴ３は同じ側のソース線１に接続されている。
【００３５】
そして、第１の実施の形態では、図１中の上下に２個のソースドライバ４ａ，４ｂがそれぞれ設けられていたのに対し、本実施の形態では、ソースドライバＡ４ｃ、ソースドライバＢ４ｄともに図１０の上側に配置されている。図１０において、ソースドライバＡ４ｃに接続されるソース線１はソースドライバＢ４ｄの内部を貫通しているが、ソースドライバＢ４ｄ内の配線と短絡しないようにさえなっていれば、ソース線１の配置は任意でよい。図１０では任意の１フレームの各画素６に供給される画像信号の極性を示しているが、本実施の形態の場合も、ソースドライバＡ４ｃ、ソースドライバＢ４ｄが片方の極性の画像信号を出力するのみでドット反転駆動が実現できている。
【００３６】
本実施の形態の液晶表示装置においても、ソースドライバの電源電圧を低減でき、消費電力を低減できる、ソースドライバの耐圧を低減でき、チップサイズの縮小化が図れる、といった第１の実施の形態と同様の効果を得ることができる。それに加えて本実施の形態の場合、第１の実施の形態の構成と比べて液晶表示装置のモジュール全体としての構成を簡単化できる、という効果が得られる。
【００３７】
[第３の実施の形態]
以下、本発明の第３の実施の形態を図１１を参照して説明する。
図１１は本実施の形態のアクティブマトリクス型液晶表示装置の等価回路を示す図である。本実施の形態の基本構成は第１、第２の実施の形態と同様であり、異なる点はソースドライバの構成のみである。したがって、図１１において図１と共通の構成要素には同一の符号を付し、詳細な説明は省略する。
【００３８】
本実施の形態の液晶表示装置も第１、第２の実施の形態と同様、図１１に示すように、図１１中の縦列の画素６において、ソース線１の延在方向（図中縦方向）に隣接する画素６のＴＦＴ３が交互に逆側のソース線１に接続されている。一方、横行の画素６においては、ゲート線２の延在方向（図中横方向）に連なる画素６のＴＦＴ３は同じ側のソース線１に接続されている。そして、第２の実施の形態では、図１０中の上側に単体のソースドライバ４ｃ、４ｄが２個配置されていたのに対し、本実施の形態では、第２の実施の形態のソースドライバＡ４ｃ、ソースドライバＢ４ｄにそれぞれ相当するドライバ回路Ａ４ｅ、ドライバ回路Ｂ４ｆがパッケージ１５内に収容された１個のドライバＩＣ１６が設けられている。各ドライバ回路４ｅ，４ｆとソース線１との接続関係は第２の実施の形態と同様である。
【００３９】
本実施の形態の液晶表示装置においても、ソースドライバの電源電圧を低減でき、消費電力を低減できる、ソースドライバの耐圧を低減でき、チップサイズの縮小化が図れる、といった第１の実施の形態と同様の効果を得ることができる。さらに、本実施の形態の場合、液晶表示装置のモジュール全体としての構成をより簡単化できる、という効果が得られる。
【００４０】
なお、本発明の技術範囲は上記実施の形態に限定されるものではなく、本発明の趣旨を逸脱しない範囲において種々の変更を加えることが可能である。例えばＴＦＴの具体的な構成、ソースドライバ内部の回路構成等に関しては、任意に設計してかまわない。
【００４１】
【発明の効果】
以上、詳細に説明したように、本発明によれば、ドット反転駆動方式の液晶表示装置において、ソースドライバの電源電圧や耐圧を従来に比べて低減することができ、液晶表示装置の低消費電力化、小型化を図ることができる。
【図面の簡単な説明】
【図１】  本発明の第１の実施の形態の液晶表示装置の等価回路図である。
【図２】  同、液晶表示装置の各ソースドライバとスイッチの接続関係を示す図である。
【図３】  同、液晶表示装置におけるラスター表示の画像信号の波形を示す図であって、（Ａ）は各ソースドライバの出力、（Ｂ）、（Ｃ）は各ソースドライバ毎の電源ライン、グランドラインの電位、（Ｄ）はスイッチへの入力、をそれぞれ示している。
【図４】  同、液晶表示装置における横縞模様表示の画像信号の波形を示す図である。
【図５】  比較例の液晶表示装置における横縞模様表示の画像信号の波形を示す図である。
【図６】  比較例の液晶表示装置の等価回路図である。
【図７】  同、実施の形態の液晶表示装置におけるＴＦＴ（ラージアイランド構造）の具体的構成を示す平面図である。
【図８】  同、ＴＦＴ（ラージゲート構造）具体的構成を示す平面図である。
【図９】  同、実施の形態の液晶表示装置に従来のＴＦＴ構造を適用した場合の問題点を説明するための図である。
【図１０】  本発明の第２の実施の形態の液晶表示装置の等価回路図である。
【図１１】  本発明の第３の実施の形態の液晶表示装置の等価回路図である。
【図１２】  従来一般の液晶表示装置の等価回路図である。
【図１３】  図１２において各画素の画像信号の極性を示す図である。
【図１４】  同、液晶表示装置におけるラスター表示の画像信号の波形を示す図である。
【符号の説明】
１  ソース線
２  ゲート線
３  薄膜トランジスタ（ＴＦＴ）
４ａ，４ｂ，４ｃ，４ｄ，４ｅ，４ｆ  ソースドライバ
５  ゲートドライバ
６  画素
７ａ，７ｂ  電源ライン
８ａ，８ｂ  グランドライン
９  スイッチ（切換手段）
１１ａ，１１ｂ  アイランド
１２  画素電極
１３  ドレイン電極
【図１】
0003803020.tif 000002
【図２】
0003803020.tif 000003
【図３】
0003803020.tif 000004
【図４】
0003803020.tif 000005
【図５】
0003803020.tif 000006
【図６】
0003803020.tif 000007
【図７】
0003803020.tif 000008
【図８】
0003803020.tif 000009
【図９】
0003803020.tif 000010
【図１０】
0003803020.tif 000011
【図１１】
0003803020.tif 000012
【図１２】
0003803020.tif 000013
【図１３】
0003803020.tif 000014
【図１４】
0003803020.tif 000015